(57)【要約】【課題】洗浄水の噴射により食器等の洗浄を行う食器洗い機において、安価な部品で複数段階に製品高さを調整できるようにし、設置性を向上する。【解決手段】食器洗い機本体１３を支える脚体１７の下面に、食器洗い機本体１３の高さを変更可能な調整脚１８を取り付ける。調整脚１８は、脚体１７下面への取り付け方向を変えることにより複数段階に高さを変更可能な構成とする。具体的には、脚体下面の高さの異なる面と、調整脚上面の高さの異なる面との組み合わせによる。【選択図】  図１
2004275368.tif 000002
【特許請求の範囲】
【請求項１】
食器洗い機本体と、前記食器洗い機本体を支える脚体と、前記脚体の下面に取り付け前記食器洗い機本体の高さを変更可能な調整脚とを備え、前記調整脚は、前記脚体下面への取付方向を変えることにより複数段階に高さを変更可能な構成とした食器洗い機。
【請求項２】
脚体は、その下面に複数段階に高さの異なる複数の面を有し、調整脚はその上面に複数段階に高さの異なる複数の面を有し、前記脚体の複数段階の下面と前記調整脚の複数段階の上面との組み合わせを変えることにより、複数段階に高さを変更可能とした請求項１記載の食器洗い機。
【請求項３】
脚体は、その下面に第１の凸部と第１の凹部を有し、調整脚はその上面に前記脚体の第１の凹凸部と略同一形状の第２の凸部と第２の凹部を有し、前記第１の凸凹部と第２の凸凹部の組み合わせを変えることにより、２段階に高さを変更可能とした請求項１記載の食器洗い機。
【請求項４】
脚体と調整脚に位置決め手段を設けた請求項１〜３のいずれか１項に記載の食器洗い機。
【発明の詳細な説明】
【０００１】
【発明の属する技術分野】
本発明は、洗浄水の噴射により食器等の洗浄を行う食器洗い機に関する。
【０００２】
【従来の技術】
従来、この種の食器洗い機は、図５に示すように構成していた。以下、その構成について説明する。
【０００３】
図５に示すように、食器洗い機本体１は、内部に洗浄槽２を設け、この洗浄槽２の前面を扉体３により開閉するよう構成している。食器洗い機本体１の下部に、食器洗い機本体１を支える脚体４を備え、この脚体４はバランスよく各コーナー部に配設している。
【０００４】
食器洗い機の基本的な動作は、一般的によく知られているので、以下に簡単に述べると、使用者は扉体３を開放し、洗浄槽２内に収納した食器かご５に汚れた食器類をセットする。つぎに、扉体３を閉め運転をスタートさせ、食器類の洗浄、乾燥を行う。
【０００５】
また、他の食器洗い機として図６に示すようなものがある。このものは脚体６にキャップ状の調整脚７を被せることで高さ調整を可能としている。
【０００６】
また、他の食器洗い機として図７に示すようなものがある。このものは食器洗い機本体８の内部に洗浄槽９を設け、この洗浄槽９の前面を扉体１０により開閉するよう構成している。洗浄槽９内には食器かご１１を収納している。食器洗い機本体８の下部には、雄ねじ部を設けた脚体１２を配設しており、脚体１２の雄ねじ部と食器洗い機本体８の脚体１２の取付部に設けた雌ねじ部との螺合を緩めたり、締め付けたりすることで、高さ調整が可能な構成となっている（例えば、特許文献１参照）。この食器洗い機も上述した基本動作を行う。
【０００７】
【特許文献１】
特開２００１−３１４６９３号公報
【０００８】
【発明が解決しようとする課題】
このような従来の構成で、例えば図５に示すような構成では、食器洗い機本体１を設置するワークトップに凸凹部がある場合に、食器洗い機本体１ががたついてしまい、食器を食器かご５にセットする時に不安定であり、また、食器洗い機本体１が傾いてしまい、洗浄槽２への給水量を正規に制御できず、洗浄性能が悪化するという問題を有していた。
【０００９】
また、図６に示すように、脚体６に調整脚７を被せることで高さを調整するものは、１つの調整脚７では１段階しか高さ調整ができないため、複数段階に高さを調整する場合に複数の調整脚７を必要とするという問題を有していた。
【００１０】
また、図７に示すように、脚体１２の雄ねじ部と、食器洗い機本体８の雌ねじ部の螺合を緩めたり、締め付けたりすることで、高さを調整するものは、脚体１２の部品単価が高価になり、また、食器洗い機本体８も雌ねじ部を設けるため加工が複雑になり、部品単価が高価になるという問題を有していた。
【００１１】
本発明は上記従来の課題を解決するものであり、安価な部品で複数段階に製品高さを調整できるようにし、設置性を向上することを目的としている。
【００１２】
【課題を解決するための手段】
本発明は上記目的を達成するために、食器洗い機本体を支える脚体の下面に、食器洗い機本体の高さを変更可能な調整脚を取り付け、調整脚は、脚体下面への取り付け方向を変えることにより複数段階に高さを変更可能な構成としたものである。
【００１３】
これにより、安価な部品で複数段階に製品高さを調整することができ、設置性を向上することができる。
【００１４】
【発明の実施の形態】
本発明の請求項１に記載の発明は、食器洗い機本体と、前記食器洗い機本体を支える脚体と、前記脚体の下面に取り付け前記食器洗い機本体の高さを変更可能な調整脚とを備え、前記調整脚は、前記脚体下面への取付方向を変えることにより複数段階に高さを変更可能な構成としたものであり、安価な部品で複数段階に製品高さを調整することができ、設置性を向上することができる。
【００１５】
請求項２に記載の発明は、上記請求項１に記載の発明において、脚体は、その下面に複数段階に高さの異なる複数の面を有し、調整脚はその上面に複数段階に高さの異なる複数の面を有し、前記脚体の複数段階の下面と前記調整脚の複数段階の上面との組み合わせを変えることにより、複数段階に高さを変更可能としたものであり、調整脚の脚体への取付面とワークトップへの設置面が特定されるため、調整脚のワークトップ設置面へ密着防止加工や滑り防止加工を施すことができ、設置性を向上することができる。
【００１６】
請求項３に記載の発明は、上記請求項１に記載の発明において、脚体は、その下面に第１の凸部と第１の凹部を有し、調整脚はその上面に前記脚体の第１の凹凸部と略同一形状の第２の凸部と第２の凹部を有し、前記第１の凸凹部と第２の凸凹部の組み合わせを変えることにより、２段階に高さを変更可能としたものであり、第１の凹凸部と第２の凹凸部を略同一形状とすることで、調整脚の脚体との取付面を脚体と略同一面積にすることができ、調整脚を使用しても設置面積を脚体と同等にすることができる。
【００１７】
請求項４に記載の発明は、上記請求項１〜３に記載の発明において、脚体と調整脚に位置決め手段を設けたものであり、調整脚を脚体に取り付ける際に正規取付方向の案内となり、また、調整脚を取り付けた状態で製品を持ち上げたり、引きずって移動させても脚体と調整脚の正規の取り付け状態を保持することができる。
【００１８】
【実施例】
以下、本発明の実施例について、図面を参照しながら説明する。
【００１９】
（実施例１）
図１に示すように、食器洗い機本体１３は、内部に洗浄槽１４を設け、この洗浄槽１４の前面を扉体１５により開閉するよう構成している。洗浄槽１４の内部には食器類をセットする食器かご１６を収納している。食器洗い機本体１３の下部には、食器洗い機本体１３を支える円柱状の脚体１７をバランスよく各コーナー部に配設している。
【００２０】
調整脚１８は略円筒形状をしており、円柱形状の脚体１７に圧入により取り付けるようにし、図２に示すように調整脚１８を取り付けると、高さをＨ１高くすることができ、上下方向を逆にして取り付けると、高さをＨ２高くできるようにしている。
【００２１】
上記構成において作用を説明する。食器洗い機本体１３をワークトップに設置する際、脚体１７の設置部に段差等があり、製品ががたつく場合に、調整脚１８を脚体１７に取り付ける。調整脚１８は取付方向により高さをＨ１、Ｈ２の２段階に調整することができ、設置場所の段差の程度によって選択することができる。
【００２２】
調整脚１８により製品のがたつきを抑えることで、食器かご１６へ食器をセットするとき製品が安定するので使い勝手を向上することができ、また、製品の傾きを抑えることで、洗浄槽１４への給水量の制御を正規に行うことができるため、洗浄性能を安定させることができる。
【００２３】
このように本実施例によれば、食器洗い機本体１３を支える脚体１７の下面に、食器洗い機本体１３の高さを変更可能な調整脚１８を取り付け、調整脚１８は、脚体１７下面への取り付け方向を変えることにより複数段階に高さを変更可能な構成としたので、安価な部品で複数段階に製品高さを調整することができ、設置性を向上することができる。
【００２４】
（実施例２）
図３に示すように、脚体１９は、上記実施例１の脚体１７と同様に、食器洗い機本体（図示せず）の各コーナー部にバランスよく配設するもので、この脚体１９の下面に第１の凸部２０と第１の凹部２１を設け、中心部に十字状の孔部（位置決め手段）２２を設けている。この脚体１９に取り付ける調整脚２３は、図４に示すように、その上面に第２の凸部２４と第２の凹部２５を設け、中心部に十字状の突起部（位置決め手段）２６を設けている。
【００２５】
第１の凸部２０と第２の凹部２５が合わさるように調整脚２３を脚体１９に取り付けると、高さをＨ３高くすることができ、第１の凸部２０と第２の凸部２４が合わさるように調整脚２３を脚体１９に取り付けると、高さをＨ４高くできるようにしている。
【００２６】
十字状の突起部２６は十字状の孔部２２に対して、圧入嵌合するような設定となっており、脚体１９に調整脚２３を取り付けた状態で製品を持ち上げたり、引きずって移動させても脚体１９と調整脚２３の正規の取り付け状態を保持できるようにしている。
【００２７】
また、脚体１９、調整脚２３の下面には、ワークトップへの密着防止加工や滑り防止加工を施している。
【００２８】
上記構成において作用を説明する。食器洗い機をワークトップに設置する際、脚体１９の設置部に段差等があり、製品ががたつく場合に、調整脚２３を脚体１９に取り付ける。調整脚２３は取付方向により高さをＨ３、Ｈ４の２段階に調整することができ、設置場所の段差の程度によって選択することができる。
【００２９】
また、脚体１９、調整脚２３の下面には、滑り防止加工を施しているので、ワークトップ上で製品が容易に移動してしまうのを防止できる。また、脚体１９、調整脚２３の下面には、密着防止加工を施しているので、長期間製品を同じ場所に設置していても、脚体１９および調整脚２３がワークトップに貼り付いてしまうのを防止できる。
【００３０】
このように本実施例によれば、脚体１９は、その下面に複数段階に高さの異なる複数の面を有し、調整脚２３はその上面に複数段階に高さの異なる複数の面を有し、脚体１９の複数段階の下面と調整脚２３の複数段階の上面との組み合わせを変えることにより、複数段階に高さを変更可能としたので、調整脚２３の脚体１９への取付面とワークトップへの設置面が特定されるため、調整脚２３のワークトップ設置面へ密着防止加工や滑り防止加工を施すことができ、設置性を向上することができる。
【００３１】
また、脚体１９は、その下面に第１の凸部２０と第１の凹部２１を有し、調整脚２３はその上面に脚体１９の第１の凹凸部２０、２１と略同一形状の第２の凸部２４と第２の凹部２５を有し、第１の凸凹部２０、２１と第２の凸凹部２４、２５の組み合わせを変えることにより、２段階に高さを変更可能としたので、第１の凹凸部２０、２１と第２の凹凸部２４、２５を略同一形状とすることで、調整脚２３の脚体１９との取付面を脚体１９と略同一面積にすることができ、調整脚２３を使用しても設置面積を脚体１９と同等にすることができる。
【００３２】
また、脚体１９と調整脚２３に、それぞれ十字状の孔部（位置決め手段）２２と十字状の突起部（位置決め手段）２６を設けたので、調整脚２３を脚体１９に取り付ける際に正規取付方向の案内となり、また、調整脚２３を取り付けた状態で製品を持ち上げたり、引きずって移動させても脚体１９と調整脚２３の正規の取り付け状態を保持することができる。
【００３３】
【発明の効果】
以上のように本発明の請求項１に記載の発明によれば、食器洗い機本体を支える脚体の下面に、食器洗い機本体の高さを変更可能な調整脚を取り付け、調整脚は、脚体下面への取り付け方向を変えることにより複数段階に高さを変更可能な構成としたので、安価な部品で複数段階に製品高さを調整することができ、設置性を向上することができる。
【図面の簡単な説明】
【図１】本発明の第１の実施例の食器洗い機の断面図
【図２】同食器洗い機の要部拡大断面図
【図３】（ａ）本発明の第２の実施例の食器洗い機の脚体の下面図
（ｂ）同食器洗い機の脚体の断面図
【図４】（ａ）本発明の第２の実施例の食器洗い機の調整脚の上面図
（ｂ）同食器洗い機の調整脚の断面図
【図５】従来の食器洗い機の一例の断面図
【図６】従来の食器洗い機の他の例の要部断面図
【図７】従来の食器洗い機の他の例の断面図
【符号の説明】
１３  食器洗い機本体
１７  脚体
１８  調整脚
【図１】
2004275368.tif 000003
【図２】
2004275368.tif 000004
【図３】
2004275368.tif 000005
【図４】
2004275368.tif 000006
【図５】
2004275368.tif 000007
【図６】
2004275368.tif 000008
【図７】
2004275368.tif 000009